(57)【要約】      （修正有）【課題】新聞古紙を収容する箱の構造を簡潔にしてその製造コストの削減を図る一方、収容した新聞古紙の結束が容易にできるようにした新聞古紙のリサイクル装置を提供する。【解決手段】底壁８上の直交する長穴又は切欠に保持されて平面から見て十字状をなすように底壁上に配置される新聞古紙再生紙を含む再生紙により形成された紙紐９であって紙紐９の先端側を箱状本体Ａの側壁２，３に支持させるようにした十字状紙紐９とから成り、紙紐９を配置した底壁８を箱状本体Ａに装着すると共に紙紐９の先端側を側壁２，３に支持させた箱状本体Ａに新聞古紙Ｐを集積するように入れ、古紙Ｐがその箱一ぱいになったら側壁２，３に支持させた十字状の結束紙紐９により集積された新聞古紙Ｐをそのまま結束し、この結束状態において箱状本体Ａを上方へ引上げて、結束された新聞古紙Ｐを底壁の８上から取出すようにしたこと。【選択図】図５
0003111887.tif 000002
【実用新案登録請求の範囲】
【請求項１】
リサイクルが可能な段ボール等の板紙又はプラスチック製の板材により作製した天壁と底壁が無く四周の側壁を備えた折り畳み組立て可能な新聞古紙収容用の箱状本体と、該箱状本体と同じ板材によってこの箱状本体に対し着脱自在に形成した底壁であって底壁面が床面から浮いて位置するように下向きの脚部を備えると共に、底壁上に互に直交する向きで４箇所設けた長穴又は切欠を形成した底壁と、前記底壁上の直交する長穴又は切欠に保持されて平面から見て十字状をなすように底壁上に配置される新聞古紙再生紙を含む再生紙により形成された紙紐であって当該紙紐の先端側を前記箱状本体の側壁に支持させるようにした十字状紙紐とから成り、前記紙紐を配置した底壁を箱状本体に装着すると共に当該紙紐の先端側を側壁に支持させた箱状本体に新聞古紙を集積するように入れ、当該古紙がその箱一ぱいになったら前記側壁に支持させた十字状の結束紙紐により集積された新聞古紙をそのまま結束し、この結束状態において前記箱状本体を上方へ引上げて、結束された新聞古紙を底壁の上から取出すようにしたことを特徴とする新聞古紙リサイクル装置。
【請求項２】
十字状紙紐は、２本の紙紐の中間部を結合して十字状に結合したものである請求項１の新聞古紙リサイクル装置。
【請求項３】
箱状本体は、四つ折りした新聞紙を約１ヶ月分程度収容できる平面形状と高さを有し、かつ、天井と底壁を備えない四周の側壁による箱筒状であって、四周の側壁のうち少なくとも一組の対向する側壁を、当該側壁に上下方向の切込みを入れその切込み部を当該側壁全体が略凹状をなすように折曲げて二重壁に形成すると共に、各側壁には十字状紙紐の先端側を保持するための切欠き、又は／及び、孔を設けた請求項１又は２の新聞古紙リサイクル装置。
【請求項４】
底壁は、箱状本体に水平姿勢で遊挿できる平面形状の底壁面を有すると共に、該底壁面の四周に当該底壁面と一体の低い脚部を下向きに形成することにより、箱状本体に収装した底壁の底壁面が床面から浮いて位置付けられるようにした請求項１〜３のいずれかの新聞古紙リサイクル装置。
【請求項５】
底壁面にはその略中央に、配置する十字状に結合した紙紐の結合部を位置付けるための円形又は角形の穴，切欠，凹部のいずれかを形成した請求項４の新聞古紙リサイクル装置。
【請求項６】
底壁上に互に直交する向きで４箇所設けた長穴又は切欠は、請求項５の穴又は切欠き若しくは凹部の周辺に紙紐を十字状に保持するための長穴又は切欠として形成した請求項５の新聞古紙リサイクル装置。
【請求項７】
底壁上に互に直交する向きで４箇所設けた長穴又は切欠は、各側壁寄りに設けて紙紐を十字状に保持するための長穴又は切欠として形成した請求項１〜６のいずれかの新聞古紙リサイクル装置。
【請求項８】
紙紐は、新聞古紙再生パルプを少なくとも33％以上含む、再生紙を撚り上げたものである請求項１〜７のいずれかの新聞古紙リサイクル装置。
【考案の詳細な説明】
【技術分野】
【０００１】
本考案は、新聞古紙をリサイクルするのに適した新聞古紙リサイクル装置に関するものである。
【背景技術】
【０００２】
新聞古紙は、単一品種で量が纏まっている上に脱墨技術の進歩により、リサイクルし易く、新聞用紙以外の様々な紙再生原料として使用されるなど、リサイクル用古紙として有用されている。
【０００３】
通常、新聞古紙は、読者の元で約１ヶ月程度分が溜められ、予め、新聞販売店から配布された紙袋に入れたり、或は、折り畳んで積み重ねたものを、ビニ−ルやポリエチレン等のプラスチック系の紐で縛って、回収ル−トに供出されることが多い。
【０００４】
上記のような小単位で回収されたものは、一部にはそのまま製紙会社に送られるものもあるが、大部分は運搬や取扱いに便利なように、900kg前後の梱（ベ−ル）とするため、紙袋に入れたものは袋を取り、紐で縛ったものはその紐を切り取って、バラバラにされた新聞古紙を油圧で押し固め、針金で縛って梱の形にして製紙会社に送られ、リサイクルに供されている。
【０００５】
然し乍ら、このようなリサイクル方式では、(1) 新聞古紙を纏めて縛っているプラスチック系の紐は、新聞紙とは異なる材質であるため新聞紙と一緒にリサイクルできないので、廃棄しなければならない。
(2) 新聞販売店から配布される紙袋には、クラフト紙系のものと、上質紙系のものがあり、クラフト紙系のものは脱墨工程によっては、再生原料の中で茶色の小塵になり易いため、わざわざ除去される場合が多いなどの問題がある。
【０００６】
従って、読者の元で小単位に纏められた新聞古紙を縛っているプラスチック系の紐を、新聞紙と一緒にリサイクル可能な紙質の紙紐に変更し、新聞古紙を結束したままの形で再生紙原料として原料溶解装置に仕込めるように出来れば、再生効率があがるばかりでなく、コストも下がる上に、産業廃棄物の発生もなくなるものと考えられる。
【０００７】
本考案の考案者らは、先に、読者の元で１ヶ月程度分の四つ折りした新聞紙を、リサイクルが可能で堅牢な段ボ−ル紙等の板紙製の新聞古紙収容用箱に重ねて溜めておき、これを、再生紙原料となる新聞紙と同質の紙により製された紙紐で束ねて縛り、そのまま再生紙原料として原料溶解装置に仕込むことが出来るような新聞古紙リサイクルシステムを、特許第3502774号として提案している（特許文献１参照）。
【０００８】
提案した新聞古紙リサイクルシステムは、所期の目的を達成できて、きわめて有用なものであることが実証されたが、なお改善すべき点のあることも判明した。即ち、改善すべき点としては、新聞古紙を収容する箱の構造が複雑であるため、箱のコストが高めに付き易く、また、収容した新聞古紙の結束や結束した新聞古紙の取出しの操作に、若干のコツ（習熟）を要するという点である。
【特許文献１】特許第３５０２７７４号公報
【考案の開示】
【考案が解決しようとする課題】
【０００９】
そこで本考案では、新聞古紙を収容する箱の構造を簡単にすると共に、収容した新聞古紙の結束や、結束した新聞古紙の取出しを何らの習熟を要することなく行うことができる新聞古紙リサイクル装置を提供することを課題とする。
【課題を解決するための手段】
【００１０】
上記課題を解決することを目的としてなされた本考案新聞古紙リサイクル装置の構成は、リサイクルが可能な段ボール等の板紙又はプラスチック製の板材により作製した天壁と底壁が無く四周の側壁を備えた折り畳み組立て可能な新聞古紙収容用の箱状本体と、該箱状本体と同じ板材によってこの箱状本体に対し着脱自在に形成した底壁であって底壁面が床面から浮いて位置するように下向きの脚部を備えると共に、底壁上に互に直交する向きで４箇所設けた長穴又は切欠を形成した底壁と、前記底壁上の直交する長穴又は切欠に保持されて平面から見て十字状をなすように底壁上に配置される新聞古紙再生紙を含む再生紙により形成された紙紐であって当該紙紐の先端側を前記箱状本体の側壁に支持させるようにした十字状紙紐とから成り、前記紙紐を配置した底壁を箱状本体に装着すると共に当該紙紐の先端側を側壁に支持させた箱状本体に新聞古紙を集積するように入れ、当該古紙がその箱一ぱいになったら前記側壁に支持させた十字状の結束紙紐により集積された新聞古紙をそのまま結束し、この結束状態において前記箱状本体を上方へ引上げて、結束された新聞古紙を底壁の上から取出すようにしたことを特徴とするものである。前記の紙紐は、２本の紐を十字状に結合したもの、或は、結合しないで底壁上で十字状に配置したもののいずれであってもよい。
【００１１】
本考案装置における箱状本体は、四つ折りした新聞紙を約１ヶ月分程度収容できる平面形状と高さを有し、かつ、天井と底壁を備えない箱筒状であって、四周の側壁のうち少なくとも一組の対向する側壁は、当該側壁に上下方向の切込みを入れその切込み部を当該側壁全体が正面から見て略凹状をなすように折曲げて二重壁に形成すると共に、各側壁には十字状の紙紐の先端側を保持するための切欠き、又は／及び、孔を設けたものが好ましい。
【００１２】
また、底壁は、前記箱状本体に水平姿勢で遊挿できる平面形状の底壁面を有すると共に、該底壁面の四周に当該底壁面と一体の低い脚部を下向き形成することにより、箱状本体に収装した底壁面が床面から浮いて位置付けられるようにしたものであって、そして、底壁面は、その略中央に配置する十字状に結合した紙紐の結合部を位置付けるための穴又は切欠き若しくは凹部を形成したものであることが望ましい。更に、十字状の紙紐の十字状を保持するため、前記中央の穴又は切欠き若しくは凹部の周囲、又は、側壁寄りの部位に、略直交する向きで当該紙紐を箱状本体内で十字状に保持するための穴又は切欠を形成したものがよい。また、紙紐としては、新聞古紙再生パルプが少なくとも33％以上を含みその他の再生パルプとの合計配合率が50％以上の再生紙であって、新聞用紙以上の白色度，強度を有し、オフセット印刷新聞用紙と同等のサイズ度を有する再生紙を撚り上げたものが好適である。
【００１３】
十字状に結合した結束紙紐は、ロ−ル状に巻き取られた紙紐から１m50cm程度を繰出し、その長さの切断紐を２本作り、両紐をそれらの中間部分で十字状をなすように結合したものである。
【考案の効果】
【００１４】
本考案新聞古紙リサイクル装置は、リサイクルが可能な段ボール等の板紙又はプラスチック製の板材により作製した天壁と底壁のない折り畳み組立て可能な新聞古紙収容用の箱状本体と、該箱状本体の底壁として箱状本体と同じ板材によってこの箱状本体に対し着脱自在に形成した底壁であって底壁面が床面から浮くように下向きの脚部を備えた底壁と、前記底壁上に載置される平面から見て十字状をなすように結合された新聞古紙再生紙を含む再生紙により形成された十字状をなす紙紐であって当該紙紐の先端側を前記箱状本体の側壁に支持させるようにした十字状結束紐とから成り、前記紙紐を配置した底壁を箱状本体に装着すると共に当該紙紐の先端側を側壁に支持させた箱状本体に、新聞古紙を集積するように入れ、古紙がその箱一ぱいになったら前記側壁に支持させた十字状の結束紙紐により集積された新聞古紙をそのまま結束し、この結束状態において前記箱状本体を上方へ引上げて、結束された新聞古紙を底壁の上から取出すように形成したから、箱体の構造が簡単で容易かつ低コストに提供でき、また、箱状本体と底壁とを分離構造として底壁に古紙結束用の紙紐を保持させ、その紐の先端側を箱状本体の側壁に保持させ新聞古紙を収容するようにしたから、箱内に集積した古紙を手早くかつ容易に十字結束することができ、更には、結束した古紙は箱状本体を上方へ抜去することにより底壁上に露出させてそのまま取出せるようにしたので、これらの面での古紙の取扱いをきわめて容易かつ円滑に行うことができる。
【考案を実施するための最良の形態】
【００１５】
次に、本考案の実施の形態例を図により説明する。図１は本考案装置の一例に使用する新聞古紙収容用の箱状本体を平面側から見た斜視図、図２は図１の箱状本体に装着される底壁の一例を平面側から見た斜視図、図３は底壁の別例の斜視図、図４は十字状に結合された結束紙紐の斜視図、図５は本考案装置の使用状態の一例の正断面図、図６は結束した新聞古紙の一例の斜視図である。
【００１６】
図１において、１は幅が四つ折りした新聞紙の幅より少し大きい適宜高さ（例えば、新聞古紙を１ヶ月分重ねた高さよりやや高い）に形成した手前側の前壁、２，３は該前壁１の左右に連設した側壁、４は一方の側壁２又は３のどちらかに連設した後壁で、この壁４は側壁３又は２の外側に連設した糊代において他方の側壁３又は２に接合されていると共に、前記前，後壁１，４には下方へ向けて適宜の幅で２本の切込みを入れて当該切込みの間を、内側下方へ曲げた補強フラップ５，６を設けて、天壁と底壁を有しない筒状の箱状本体７に形成される。なお、1a〜4aは、前後壁１，４および側壁２，３の中央部に形成した紐掛け用の切欠であるが、本考案では、この切欠1a〜4aに代えて穴を設けたり、切欠1a〜4aと穴を併設した構造とすることができる。前記の箱状本体７は、リサイクル可能な段ボールなどの板紙、或は、リサイクル可能なプラスチック製の板材により形成する。
【００１７】
一方、図２，図３において、８は底壁で、底壁面8aの平面形状は、前記箱体７の平面形状（新聞紙４つ折状程度の矩形）に則した形状で、当該箱状本体７を立てたとき、その中に水平姿勢で密に遊挿できる大きさ，形状を有している。そして、この底壁面8aの四周には下方へ向けて底壁面8aと一体の部材を折曲げるなどして形成した高さが低い脚部8bが形成されている。この脚部8bは底壁面8aと一体の部材を折曲げただけでは脚部8bとしての姿勢（高さ）を保持できない場合、一例として断面略口字状に曲げて脚部8bを形成し、その一部を底壁面8aに係着させるなどすることにより、脚部8bとしての高さ，姿勢を保持する構成とすることがある。
【００１８】
図２の底壁８において、底壁面8aの略中央には、後述する２本の紙紐を十字状に結合した結束紙紐９の結び目9cを配置するための穴8cと、前記紐９の十字状を保持するため当該紐９の結び目9cの近傍を係止するための直交する４箇所の切欠き8dと各切欠き8dの延長上の長穴（又は切欠）8eが形成されている。また、図３に示すように、穴8cに代えて十字状の切欠8c´を形成し、その延長線上に長穴や切欠8eを形成してもよい。一方、図２の穴8cは貫通穴に限られず、十字状切込みや凹部などにより代替してもよい。図２，図３の底壁８も箱状本体７と同様にリサイクル可能な段ボールなどの板紙やプラスチックで形成する。
【００１９】
十字状の紙紐９は、図３に例示するように、２本の同長の紙紐9a，9bを両紐の中間部で結び付けて結び目9cを作り、平面視略十字状をなすように形成されている。この十字状の紙紐９は、結合したものに限られず、２本の略同長の紙紐を箱状本体７の内部で十字状に配置し、その途中を切欠き8eに保持させるようにしてもよい。
【００２０】
本考案における新聞古紙収容用箱Ａは、箱状本体７の中に底壁８を装填すると共に、底壁８に図示するように紐９をセットし、その中に新聞古紙Ｐを積み重ねて溜めて行くのであるが、組み立てる前は、箱状本体７も底壁８も平坦に折り畳むことができるので、保管や運搬時に便利である。
【００２１】
本考案に用いる結束紙紐９は、一例として、次のようにして製造されたものである。即ち、原料として、新聞古紙脱墨再生パルプ（ＤＩＰ）40％、晒クラフト系古紙再生パルプ（再生ＫＰ）30％、針葉樹・晒クラフトパルプ（ＮＢＫＰ）30％を配合し、通常時は新聞用紙を抄造している抄紙機により、米坪量40g/m2の紙紐用原紙を、新聞用紙と同じ条件でサイズプレスにより表面サイズを施して抄造し、上記原紙をボビンワインダ−により幅100mmのリボン状巻取紙に仕上げ、上記リボン状巻取紙を製紐機にかけ、太さ3.0mm程度に撚り上げたものである。
【００２２】
上記のようにして製造した紙紐９の引っ張り強さは、一例として20kgf程度であり、この原紙を撚り上げて得られた紙紐９は、新聞古紙7.5kg分を束ねて取扱うのに充分な強度を有していることを確認済である。
【００２３】
次に、本考案新聞古紙リサイクル装置の使用例について説明する。
本考案による古紙リサイクル装置は、例えば新聞販売店が折畳んだ状態の新聞古紙収容用の箱状本体７と底壁８と結束紙紐９を１セットとして読者に配布し、読者が箱状本体７と底壁８により古新聞収集箱Ａを組立て、十字状紙紐９の結び目9cを組立てた箱Ａの底壁８の中央の穴8cに位置付け、この紐９の先端側を、箱状本体７の各側壁１〜４に形成した紐係止用の切欠1a〜4a又は穴に係止して保持させた状態を作り、この箱Ａの中に読み終えた新聞古紙Ｐを１ヶ月分程度溜めてから前記紙紐９で束ねて縛り、そのままリサイクル用に回すことができる。結び目9cを有しない十字状の紙紐９の用い方も、上記紐９と略同等であるが、積層古紙の底部側に結び目9cがないので、結束時に上部側で結び目を作ることが望ましい。
【００２４】
上記紙紐９は、いずれも前述の新聞古紙Ｐと同質材で造られているから、この紐９で結束したままリサイクル原料として使用出来る。新聞販売店などでは古紙収容用箱Ａとなる箱状本体７の前壁１又は後壁４若しくは両側壁２，３などに広告などの印刷を施し、該箱状本体７と底壁８を折り畳んだ状態で、十字状に結合した少なくとも１本の紙紐９と共に読者に配布すれば、後は読者に委せることにより所期の目的を達成することができる。なお、十字状の紙紐９は、１本のロール状に巻取った紙紐（図示せず）から、所要の度にユーザーが造ればよい。
【００２５】
上記の箱状本体７と底壁８、並びに、紙紐９の配布を受けた読者は、まず、折り畳まれた古紙収容用の箱Ａを、箱状本体７を補強フラップ５，６を折り曲げて組立てると共に、その箱状本体７の中に脚部8bを立てた底壁８を挿装することにより組立て、底壁８に十字状に結合した結束紙紐９をセットし、結び目9cを穴8cに落し、中間部を長穴8cに挿入した上で各紐9a，9bの両端側9d，9eを側壁などの各切欠1a〜4aに保持させることにより、紙紐９を箱状本体７の内部で十字状に保持し新聞古紙収容用の組立てた箱Ａを準備する。
【００２６】
次いで、新聞古紙Ｐを４つ折りにして前記箱Ａに積層収容して溜めておき、それが１ヶ月分程度溜ったら、十字状の結束紙紐９の各紐9a，9bの両端側9d，9eを前記の各切欠1a〜4aから取外して上方に引上げ、溜った新聞古紙Ｐの上面側の中央部に位置させて、夫々の紐9aと9bとの両端側9d，9eを縛り上げる。
【００２７】
新聞束に縛り上げたら、その状態で箱状本体７を上方へ持上げると、結束された新聞古紙の束はその重量で底壁８の上に残るので、結束された新聞古紙Ｐの束をその結束状態のまま古紙回収に出すことができる。出された新聞古紙の束は、従来のように紐を外すなどの手を掛けることなく、紙紐９で結束したままの姿でリサイクル用の処理に供することが出来る。
【産業上の利用可能性】
【００２８】
本考案は上述のとおりであって、リサイクルが可能な段ボール等の板紙又はプラスチック製の板材により作製した天壁と底壁が無く四周の側壁を備えた折り畳み組立て可能な新聞古紙収容用の箱状本体と、該箱状本体と同じ板材によってこの箱状本体に対し着脱自在に形成した底壁であって底壁面が床面から浮いて位置するように下向きの脚部を備えると共に、底壁上に互に直交する向きで４箇所設けた長穴又は切欠を形成した底壁と、前記底壁上の直交する長穴又は切欠に保持されて平面から見て十字状をなすように底壁上に配置される新聞古紙再生紙を含む再生紙により形成された紙紐であって当該紙紐の先端側を前記箱状本体の側壁に支持させるようにした十字状紙紐とから成り、前記紙紐を配置した底壁を箱状本体に装着すると共に当該紙紐の先端側を側壁に支持させた箱状本体に新聞古紙を集積するように入れ、当該古紙がその箱一ぱいになったら前記側壁に支持させた十字状の結束紙紐により集積された新聞古紙をそのまま結束し、この結束状態において前記箱状本体を上方へ引上げて、結束された新聞古紙を底壁の上から取出し、そのままリサイクルに供するようにしたから、例えば、新聞販売店が読者に配布し、読者が上述のように新聞古紙を溜めた束を縛り上げて、古紙回収に出せば、極めて有効に新聞古紙をリサイクルに供することが出来る。
【００２９】
また、新聞古紙を収容する箱は、堅牢な段ボ−ル紙等のリサイクルが可能な板紙により作製した天壁と底壁のない折り畳み組立て可能な新聞古紙収容用の箱状本体と、該箱状本体の底壁として前記板紙と同じ板紙によってこの箱状本体に対し着脱自在に形成した底壁であって底壁面が床面から浮くように下向きの脚部を備えた底壁とにより形成したから、組み立てないときはこれを折り畳んでおけるので、保管や運搬に便利であり、特に新聞販売店が読者に配布する際に好都合である。
【００３０】
更に、上記紙紐は予め十字状に結合しておくか、または十字状の配置で上記箱状本体に挿装された底壁にセットし、各紐の先端側を箱状本体の側壁に保持させておくので、溜まった新聞古紙の結束が容易，迅速にできることは勿論、十分に強固な結束状態を容易に実現することができる。
【００３１】
また、結束した新聞束の取出しは、箱状本体を上へ抜くことにより行うから、取出しのために重たい新聞束を持上げる必要がなく、きわめて作業が行い易い。特に、女性や子供など腕力のない者であっても容易に作業を行うことができる。
【図面の簡単な説明】
【００３２】
【図１】本考案装置の一例に使用する新聞古紙収容用の箱状本体を平面側から見た斜視図。
【図２】図１の箱状本体に装着される底壁の一例を平面側から見た斜視図。
【図３】底壁の別例の斜視図
【図４】十字状に結合された結束紙紐の斜視図。
【図５】本考案装置の使用状態の一例の正断面図。
【図６】紐で結束した新聞古紙の斜視図。
【符号の説明】
【００３３】
Ａ      新聞古紙収容用の箱
１      前壁
２，３  側壁
４      後壁
1a〜4a  切欠又は穴
５，６  前後壁１，４に設けた補強フラップ
７      箱状本体
８      底壁
8a      底壁面
8b      脚部
8c      穴
8d      切欠き
９      十字状に結合した紙紐
Ｐ      新聞古紙
【図１】
0003111887.tif 000003
【図２】
0003111887.tif 000004
【図３】
0003111887.tif 000005
【図４】
0003111887.tif 000006
【図５】
0003111887.tif 000007
【図６】
0003111887.tif 000008